(57)【要約】【課題】電子機器装置の状態表示用ランプからの出射光が一般ユーザには目障りにならずにかつ電子機器装置の点検作業者に有意に知覚させるようにした電子機器装置を提供する。【解決手段】電子機器装置に搭載される機能ブロック（ここでは、モデム）の動作状態は、プリント基板２５に搭載されたランプ２７、ここでは５個のＬＥＤ（発光ダイオード）、の点灯及び消灯によって表示される。ランプ２７が点灯状態にあると、ランプ２７からの出射光（矢印参照）はシールドカバー２４に設けられたピンホール２３を経由して下ケース２０に設けられた透光兼換気用孔２２を介して電子機器装置の点検作業者に知覚されることとなる。なお、シールドカバー２４に設けられたピンホール２３は、ランプ２７の数に対応して複数設けることができる。【選択図】図３
2005033056.tif 000002
【特許請求の範囲】
【請求項１】
第一の孔部が設けられたシールドカバーと、前記シールドカバーの内部に配設された状態表示用ランプの光が前記第一の孔部を通過して電子機器装置筐体外に露光される第二の孔部を前記電子機器装置筐体に備えたことを特徴とする電子機器装置。
【請求項２】
前記第二の孔部は前記電子機器装置筐体内部の熱を放出する換気用孔部であることを特徴とする請求項１に記載の電子機器装置。
【請求項３】
前記状態表示用ランプはＬＥＤであることを特徴とする請求項１又は請求項２に記載の電子機器装置。
【発明の詳細な説明】
【技術分野】
【０００１】
本発明は、告知放送などに使用される電子機器装置に関するものである。
【背景技術】
【０００２】
従来、通常使用状態において目視することができない位置に取り付けられたランプの点灯状態を外から認識することできるようにしたランプインジケータが知られている（例えば、特許文献１参照）。
【０００３】
上記従来のランプインジケータは、ランプより照射された光が一端部側の端面から入射するようにランプに対応させて配置し、他端部の端面が遮光筐体の外側に露出するように設けられた光ファイバーを備え、遮光筐体内において被照射体に光を照射するためのランプの点灯状態を認識するように構成されている。
【特許文献１】特開2001-51426号公報（第２−３頁、図１）
【発明の開示】
【発明が解決しようとする課題】
【０００４】
しかし上記従来のランプインジケータは、遮光筐体の外側に露出する光ファイバーの他端部側の端面からの光の出射状態でランプの点灯状態を認識するという複雑な構成を採らなければならないという問題があった。
【０００５】
そこで本発明は、上記従来の問題点を解決するためになされたもので、電子機器装置の状態表示用ランプからの出射光が一般ユーザには目障りにならずにかつ電子機器装置の点検作業者に有意に知覚させるようにした電子機器装置を提供することを目的とする。
【課題を解決するための手段】
【０００６】
上記課題を解決するために、本発明の電子機器装置は、第一の孔部が設けられたシールドカバーと、前記シールドカバーの内部に配設された状態表示用ランプの光が前記第一の孔部を通過して電子機器装置筐体外に露光される第二の孔部を前記電子機器装置筐体に備えたことを特徴とする。
【発明の効果】
【０００７】
本発明の電子機器装置は、上記構成を有し、電子機器装置の状態表示用ランプからの出射光を一般ユーザには目障りにならずにかつ電子機器装置の点検作業者に有意に知覚させることができ、またシールドカバーで外光を遮るため、点検作業者の誤認識を避けることができる。
【発明を実施するための最良の形態】
【０００８】
以下、本発明の実施の形態を、図面を参照しながら説明する。
本発明は、シールドカバーの内部に配設された状態表示用ランプの光が第一の孔部を通過して電子機器装置筐体外に露光される第二の孔部を電子機器装置筐体に備えるようにして電子機器装置の状態表示用ランプからの出射光が一般ユーザには目障りにならずにかつ電子機器装置の点検作業者に有意に知覚させるという目的を達成した。
【実施例１】
【０００９】
本発明のより具体的な実施の形態について、図１ないし図５を用いて説明する。図１は、本発明の実施の形態に係る電子機器装置の概略構成を示す上面側から見た斜視図であり、また図２は、本発明の実施の形態に係る電子機器装置の概略構成を示す裏面側から見た斜視図である。
【００１０】
本発明の電子機器装置としては、例えば農村部に設ける有線形態の告知放送の受信装置を想定しており、該電子機器装置内には複数の機能ブロックが搭載されて告知放送を受信できるとともにインターネット等にも接続できるようにされている。
【００１１】
図１および図２において本発明の電子機器装置は、告知放送受信ができるものであって、電子機器装置の筐体は、上ケース１０と下ケース２０とから構成され、上ケース１０には各種ボタン１２が配置されている。また下ケース２０には、下ケース２０の庇部４０に透光兼換気用孔２２が設けられている。
【００１２】
図３は、本発明の実施の形態に係る電子機器装置に搭載される機能ブロック（ここでは、モデム）の状態（ステータス）表示に関係する部位のみを示した側面断面図である。ここで、ステータスがランプ２７（例えば５個の発光ダイオード（ＬＥＤ））で表示され、第１のＬＥＤ２７ａは電源のオン／オフ、第２のＬＥＤ２７ｂは本電子機器装置と外部のパーソナルコンピュータ等との接続の状況、第３のＬＥＤ２７ｃは下り通信（受信信号）の確立の有無、第４のＬＥＤ２７ｄは上り通信（送信信号）の確立の有無、および第５のＬＥＤ２７ｅはメール受信の有無を表示するようにしている。
【００１３】
図３において機能ブロック（モデム）のステータスは、ランプの点灯及び消灯により動作状態が表示されるものであって、シールドカバー２４内に収納されたプリント基板２５にはモデムを構成する機能部品２６が搭載されている。シールドカバー２４は電子機器筐体に収納されたシャーシ２１にねじ２９によって固着されている。また、電子機器装置筐体の底面側部には壁掛け金具用ガイド２８が設けられており、電子機器装置を壁に掛けられるようにしている。
【００１４】
機能ブロック（モデム）の動作状態は、プリント基板２５に搭載されたランプ２７、例えばＬＥＤ（発光ダイオード）の点灯及び消灯によって表示される。ランプ２７が点灯状態にあると、ランプ２７からの出射光（図３の矢印参照）はシールドカバー２４に設けられたピンホール２３を経由して下ケース２０に設けられた透光兼換気用孔２２を介して電子機器装置の点検作業者に知覚されることとなる。この場合、ピンホール２３は、ランプ２７からの出射光が直接透光兼換気孔２２に到達するようにシールドカバー２４の前方側面に複数設けられている。これにより、ランプの出力を上げずにランプからの出射光を外部に透光させることができる。
【００１５】
透光兼換気用孔２２は下ケース２０の庇部４０に設けられており、庇部４０により透光兼換気用孔２２を通過したランプ２７からの出射光が一般ユーザの通常の使用状態において目障りとならないようにしている。なお、シールドカバー２４に設けられたピンホール２３は、ランプ２７の数に対応して複数設けることができる。また、ピンホール２３を設けることによりシールドカバー２４のシールド効果が弱められるが、小さい孔であれば実用上の問題はなんら発生しない。
【００１６】
図４は図２に示した裏面側から見た電子機器装置において下ケースを取外した状態を示す斜視図である。図４において下ケース２０には上記したように透光兼換気用孔２２および壁掛け金具用ガイド２８以外に台座３０が複数箇所に設けられている。さらに図４においてシールドカバー２４の前方側面には複数のピンホール２３が設けられている。図４ではピンホール２３の数は５つ示されているが、この数を幾つ設けるかは図示した例に限定されない。このように図４を参照すればシールドカバー２４に設けたピンホール２３と電子機器装置の下ケース２０に設けた透光兼換気用孔２２との配置関係がより明快となろう。
【００１７】
図５は、本発明の実施の形態に係る電子機器装置の概略構成を示す断面図であり、図３に示したシャーシ２１の下部で切断した状態を上面側から見た様子を示している。図５に示したように、下ケース２０の透光兼換気用孔２２に対向する位置にプリント基板２５上に搭載されたランプ２７が複数設けられている。また、プリント基板２５上には多数の実装部品２６が搭載されている。それらの部品類はシールドカバー２４によって囲まれている。
【００１８】
これによって機能ブロック（モデム）から放射される電磁波の漏洩を所定レベル以下に抑えることができる。このように図５を参照すればシールドカバー２４に設けられたランプ２７と電子機器装置の下ケース２０に設けた透光兼換気用孔２２との配置関係がより明快となろう。
【００１９】
以上に示した図３〜図５の説明から明らかなようにランプからの出射光は通常の使用態様ではユーザの目障りとはならずに、当該電子機器装置を裏返した場合に点検作業者のみに有意に知覚させることができる。また、ランプの発光色を赤色などの暖色を除くことで一般ユーザに知覚されにくくし、ランプの発光色を寒色だけ使用して点検作業者のみに有意に知覚させることができる。
【産業上の利用可能性】
【００２０】
本発明にかかる電子機器装置は、電子機器装置の状態表示用ランプからの出射光を一般ユーザには目障りにならずにかつ電子機器装置の点検作業者に有意に知覚させることができるという効果を有し、告知放送等の受信装置等として有用である。
【図面の簡単な説明】
【００２１】
【図１】本発明の実施の形態に係る電子機器装置の概略構成を示す上面側から見た斜視図
【図２】本発明の実施の形態に係る電子機器装置の概略構成を示す裏面側から見た斜視図
【図３】本発明の実施の形態に係る電子機器装置のステータス（状態）表示に関係する部位のみを示した側面断面図
【図４】図２に示した裏面側から見た電子機器装置において下ケースを取外した状態を示す斜視図
【図５】本発明の実施の形態に係る電子機器装置の概略構成を示す断面図
【符号の説明】
【００２２】
１０    上ケース
１２    各種ボタン
２０    下ケース
２１    シャーシ
２２    透光兼換気用孔（第二の孔部）
２３    ピンホール（第一の孔部）
２４    シールドカバー
２５    プリント基板
２６    実装部品
２７    ランプ（例．ＬＥＤ）
２７ａ  第１のＬＥＤ
２７ｂ  第２のＬＥＤ
２７ｃ  第３のＬＥＤ
２７ｄ  第４のＬＥＤ
２７ｅ  第５のＬＥＤ
２８    壁掛け金具用ガイド
２９    ねじ
３０    台座
４０    庇部
【図１】
2005033056.tif 000003
【図２】
2005033056.tif 000004
【図３】
2005033056.tif 000005
【図４】
2005033056.tif 000006
【図５】
2005033056.tif 000007